(57)【特許請求の範囲】
【請求項１】
測定対象の被測定量を測定して出力する測定部と、
ＧＰＳ衛星からの送信電波を受信して受信位置を示す受信位置情報を出力するＧＰＳ受信部と、
前記測定部による前記被測定量の出力の際に前記ＧＰＳ受信部から出力される前記受信位置情報を当該被測定量と共に取得し、かつ当該受信位置情報を当該被測定量についての測定位置を示す測定位置情報として当該被測定量に関連付けて記憶部に記憶させる記憶処理を実行する処理部とを備えている測定装置であって、
前記測定対象の位置する場所名を示す場所情報を前記処理部に出力する操作部を備え、
前記処理部は、前記記憶処理において、前記操作部から前記場所情報が出力されているときには、当該場所情報、前記受信位置情報および前記測定部から出力されている前記被測定量を取得し、かつ当該受信位置情報を前記測定位置情報として当該場所情報および当該取得した被測定量に関連付けて記憶部に記憶させ、前記操作部から前記場所情報が出力されていないときであって、前記ＧＰＳ受信部から取得した前記受信位置情報で示される前記受信位置が前記被測定量に関連付けられて前記記憶部に記憶されている前記測定位置情報で示される前記測定位置のうちのいずれかの測定位置と同じ位置または近傍のときには、当該いずれかの測定位置を示す当該測定位置情報に関連付けられて前記記憶部に記憶されている前記場所情報を当該記憶部から読み出し、かつ前記測定部から出力されている前記被測定量を取得し、前記ＧＰＳ受信部から取得した前記受信位置情報を前記測定位置情報として当該読み出した場所情報および当該取得した被測定量に関連付けて記憶部に記憶させる測定装置。
【請求項２】
前記操作部は、文字情報入力ボックスを表示する表示画面を有して当該文字情報入力ボックス内にユーザの文字入力操作によって入力された前記場所名を示す文字情報を前記場所情報として前記処理部に出力可能に構成され、
前記処理部は、前記操作部から前記場所情報が出力されていないときであって、前記いずれかの測定位置が存在するときには、当該いずれかの測定位置に関連付けられて前記記憶部に記憶されている前記場所情報を前記場所名の候補として前記文字情報入力ボックス内に表示させる請求項１記載の測定装置。
【発明の詳細な説明】
【技術分野】
【０００１】
本発明は、測定したデータ（測定データ）をＧＰＳ（Global Positioning System ）から取得した位置データに関連付けて記憶する測定装置に関するものである。
【背景技術】
【０００２】
この種の測定装置の一例として、下記の特許文献１に開示された測定装置（電界強度測定装置）が知られている。この測定装置は、人工衛星からの送信電波の電界強度を測定する電界強度測定部と、測定車両の現在位置を測定する位置検出部と、電界強度測定部および位置検出部での測定結果を関連づけた測定データを生成し蓄積するデータ生成部とを備えている。
【０００３】
一例として、位置検出部は、既存の自動車用ナビゲーション装置からなり、ＧＰＳ用の人工衛星からの送信電波を受信するＧＰＳアンテナと、ＧＰＳアンテナからの受信信号に基づき、測定車両の現在位置を表す位置データ（緯度・経度の絶対座標）、測定車両の移動速度や進行方向を表す走行データ（速度、方向）等を算出する位置検出手段としてのＧＰＳ受信機と、液晶ディスプレイ等からなる表示部と、データや各種指令を入力するためのタッチパネル等からなる操作部と、磁気ディスク等からなる記憶媒体を装着可能で、その装着された記憶媒体から地図データなどの各種データを読み出すためのドライブ装置と、マイクロコンピュータ（以下「マイコン」という）にて構成され、制御プログラムおよび操作部から入力される各種操作に従い、地図や現在位置、走行軌跡等を表示部に表示する等のナビゲーション処理を実行するナビ制御部とを備えている。
【０００４】
このナビ制御部は、ナビゲーション処理において、ＧＰＳ受信機から入力される位置データおよび走行データと、ドライブ装置を介して記憶媒体から読み込まれる各種データとを処理することにより、地図や現在位置、走行軌跡等を表示部に表示させる。また、記憶媒体には、表示部の画面上に表示させる地図を作成するのに必要な地図データや、地図上の各地点（ノード）毎に、その地点の持つ属性（例えば都道府県、市区町村等の住所区分や道路種別等）を表す属性データ（ここでは、都道府県区分コード、市町村区分コード、道路種別コードからなる）が予め記憶されている。
【０００５】
データ生成部は、データ作成処理を実行する主制御部を備えている。このデータ作成処理では、主制御部は、まず、電界強度測定部からデジタル値に変換された信号レベルの読込を行い、次いで、読み込んだ信号レベルが予め設定された基準レベル（例えば、人工衛星からの電波を正常に受信することのできる最低レベル）より大きいか否かを判断する。この判断の結果、信号レベルが基準レベルより大きいときには、主制御部は、強度データを１に設定（Ｅ＝１）し、一方、信号レベルが基準レベル以下であれば、強度データを０に設定（Ｅ＝０）する。続いて、主制御部は、このデータ作成処理を前回実行したときの強度データと比較して、値が変化したか否かを判断し、変化していなければ、位置検出部のナビ制御部からＧＰＳデータ（位置データ、走行データおよび属性データが相互に関連付けられたデータ）を読み込み、一方、変化していれば、ナビ制御部に対して軌跡表示変更指令を出力した後、ＧＰＳデータを読み込む。このＧＰＳデータの読み込みの後、主制御部は、このＧＰＳデータを強度データと関連付けて、測定データとして記憶媒体に記憶する。これにより、データ作成処理が終了する。
【０００６】
主制御部が、このデータ作成処理を繰り返し実行することにより、受信位置を表す緯度・経度の絶対座標（Ｘ，Ｙ）からなる位置データと、そのときの走行データ（車両の速度および進行方向）と、その受信位置に対応する属性データ（都道府県区分コード、市区町村区分コード、道路種別コード、標高）と、その受信位置での電界強度に基づいて生成された強度データとからなる測定データが生成される。
【０００７】
この測定装置によれば、電界強度の測定結果に基づく強度データに、その強度データの測定位置を表す位置データだけでなく、測定時の走行データや、その測定位置の属性データを関連づけたものを測定データとして記憶媒体に順次蓄積する構成のため、この記憶媒体に蓄積された測定データを用いることにより、属性データに基づいて、指定した特定地域や特定道路に関する測定データを簡単に抽出することが可能となっている。
【先行技術文献】
【特許文献】
【０００８】
【特許文献１】特開２００２−１０７３９５号公報（第３−５頁、第１−４図）
【発明の概要】
【発明が解決しようとする課題】
【０００９】
ところが、上記の測定装置には、以下のような解決すべき課題が存在している。すなわち、この測定装置には、表示部の画面上に表示させる地図を作成するための地図データや、地図上の各地点毎に、その地点の持つ属性（例えば都道府県、市区町村等の住所区分や道路種別等）を表す属性データが予め記憶された記憶媒体（地図情報記憶媒体）、およびこの記憶媒体から各種データを読み出すためのドライブ装置が必要なため、装置コストの低減が容易ではないという解決すべき課題がある。
【００１０】
本発明は、かかる課題を解決するためになされたものであり、安価な構成で、測定データを住所などの場所名と関連付けて記憶し得る測定装置を提供することを主目的とする。
【課題を解決するための手段】
【００１１】
上記目的を達成すべく請求項１記載の測定装置は、測定対象の被測定量を測定して出力する測定部と、ＧＰＳ衛星からの送信電波を受信して受信位置を示す受信位置情報を出力するＧＰＳ受信部と、前記測定部による前記被測定量の出力の際に前記ＧＰＳ受信部から出力される前記受信位置情報を当該被測定量と共に取得し、かつ当該受信位置情報を当該被測定量についての測定位置を示す測定位置情報として当該被測定量に関連付けて記憶部に記憶させる記憶処理を実行する処理部とを備えている測定装置であって、前記測定対象の位置する場所名を示す場所情報を前記処理部に出力する操作部を備え、前記処理部は、前記記憶処理において、前記操作部から前記場所情報が出力されているときには、当該場所情報、前記受信位置情報および前記測定部から出力されている前記被測定量を取得し、かつ当該受信位置情報を前記測定位置情報として当該場所情報および当該取得した被測定量に関連付けて記憶部に記憶させ、前記操作部から前記場所情報が出力されていないときであって、前記ＧＰＳ受信部から取得した前記受信位置情報で示される前記受信位置が前記被測定量に関連付けられて前記記憶部に記憶されている前記測定位置情報で示される前記測定位置のうちのいずれかの測定位置と同じ位置または近傍のときには、当該いずれかの測定位置を示す当該測定位置情報に関連付けられて前記記憶部に記憶されている前記場所情報を当該記憶部から読み出し、かつ前記測定部から出力されている前記被測定量を取得し、前記ＧＰＳ受信部から取得した前記受信位置情報を前記測定位置情報として当該読み出した場所情報および当該取得した被測定量に関連付けて記憶部に記憶させる。
【００１２】
請求項２記載の測定装置は、請求項１記載の測定装置において、前記操作部は、文字情報入力ボックスを表示する表示画面を有して当該文字情報入力ボックス内にユーザの文字入力操作によって入力された前記場所名を示す文字情報を前記場所情報として前記処理部に出力可能に構成され、前記処理部は、前記操作部から前記場所情報が出力されていないときであって、前記いずれかの測定位置が存在するときには、当該いずれかの測定位置に関連付けられて前記記憶部に記憶されている前記場所情報を前記場所名の候補として前記文字情報入力ボックス内に表示させる。
【発明の効果】
【００１３】
請求項１記載の測定装置によれば、被測定量を測定しようとしている測定対象の測定位置と測定位置が同じ位置または近傍となる測定対象の被測定量が記憶部に既に記憶されているときには、この被測定量と共にこの被測定量に関連付けられて記憶部に既に記憶されている場所情報を、測定しようとしている測定対象の被測定量にこの測定対象の位置する場所名として関連付けて記憶部に記憶させることができるため、地図情報記憶媒体およびこの記憶媒体から各種データを読み出すためのドライブ装置を不要にできることから、安価な構成で、この被測定量を場所名を示す場所情報と関連付けて記憶させることができる。また、測定しようとしている測定対象についての場所情報を操作部から処理部に入力する手間も省くことができる。
【００１４】
また、請求項２記載の測定装置では、操作部から測定対象の場所情報が出力されていないとき（つまり、文字情報入力ボックス内に測定対象の場所名が入力されていないとき）であって、被測定量を測定しようとしている測定対象の測定位置と測定位置が同じ位置または近傍となる測定対象の被測定量が記憶部に既に記憶されているときには、この記憶されている測定位置に関連付けられている場所情報が、被測定量を測定しようとしている測定対象の場所名の候補として文字情報入力ボックス内に表示される。したがって、この測定装置によれば、測定しようとしている測定対象についての場所情報を視認しつつ、被測定量の測定を実施することができる。
【図面の簡単な説明】
【００１５】
【図１】太陽電池特性測定装置１および太陽電池ストリング１２の各構成図である。
【図２】太陽電池アレイ１１および接続箱１３の各構成図である。
【図３】画面ＳＣ上に表示された測定画面の表示内容を説明するための説明図である。
【図４】画面ＳＣ上に表示されたデータ閲覧画面の表示内容を説明するための説明図である。
【図５】記憶部４に記憶される測定データＤｉｖと、それに関連付けられる場所情報Ｄｐ、箱番号Ｎｂ、ストリング番号Ｎｓおよび測定位置情報Ｄｇｐとの関係を説明するための説明図である。
【図６】記憶部４に記憶される測定データＤｉｖと、それに関連付けられる場所情報Ｄｐ、箱番号Ｎｂ、ストリング番号Ｎｓおよび測定位置情報Ｄｇｐとの関係を説明するための他の説明図である。
【図７】記憶部４に記憶される測定データＤｉｖと、それに関連付けられる場所情報Ｄｐ、箱番号Ｎｂ、ストリング番号Ｎｓおよび測定位置情報Ｄｇｐとの関係を説明するための他の説明図である。
【発明を実施するための形態】
【００１６】
以下、測定装置の実施の形態について、添付図面を参照して説明する。
【００１７】
最初に、測定装置の構成について、図面を参照して説明する。なお、以下では、測定装置の一例として太陽電池特性測定装置を挙げて説明する。
【００１８】
まず、図１に示す太陽電池特性測定装置１の構成について説明する。
【００１９】
太陽電池特性測定装置（以下、単に「特性測定装置」ともいう）１は、測定部２、処理部３、記憶部４、表示部５、操作部６およびＧＰＳ受信部７を備えて、後述の太陽電池アレイ１１を構成する複数の太陽電池ストリング（以下、「ストリング」ともいう）１２を測定対象として、各ストリング１２の出力電流および出力電圧（言い換えれば、出力電流および出力電圧の関係を表す電流−電圧特性）を被測定量として測定すると共に、この被測定量（電流−電圧特性）を、ＧＰＳ受信部７から出力される後述の受信位置情報（具体的には緯度経度情報）に基づいて決定されるこの被測定量の測定位置を示す後述の測定位置情報Ｄｇｐおよびこの測定位置が含まれる場所名（市町村名など）を示す後述する場所情報Ｄｐに関連付けて記憶する。
【００２０】
ここで、特性測定装置１の各構成要素についての具体的な説明の前に、ストリング１２の概要について説明する。ストリング１２は、例えば、ビルや住宅などの建物に設置されている図２に示すような太陽電池アレイ１１の構成単位であり、複数個で１つの太陽光発電装置に含まれる１つの太陽電池アレイ１１を構成している。また、複数のストリング１２は、例えば、接続箱１３内において、ブロッキングダイオード１４を介して並列接続されている。また、各ストリング１２は、接続箱１３内に配設されたスイッチ１５により、他のストリング１２から切り離したり、並列接続状態に戻したりすることが可能になっている。また、本例では一例として、特性測定装置１が使用される太陽電池アレイ１１では、各接続箱１３にそれぞれ接続されているストリング１２の数は同数（Ｎｓ１）であるものとする。
【００２１】
また、ストリング１２は、図１，２に示すように、複数の太陽電池モジュール２１が直列接続されて構成され、さらに各太陽電池モジュール２１は、複数のクラスタ２２が直列接続されて構成されている。また、各クラスタ２２は、直列接続された複数の太陽電池セル（太陽電池）２３と、この直列接続された複数の太陽電池セル２３における全体としての出力端子間（クラスタ２２の出力端子間）に接続されたバイパスダイオード２４とを備えて構成されている。このように構成されたストリング１２は、発電状態において、出力電流として直流電流Ｉ（以下、電流Ｉともいう）を出力し、その出力電圧Ｖ（後述する負極Ｐ２の電位を基準とする正極Ｐ１の電圧）はその電圧値Ｖ１が直流電流Ｉの電流値Ｉ１に応じて変化する（具体的には、電圧値Ｖ１は、電流値Ｉ１の上昇に伴い低下する）という電流−電圧特性を有している。
【００２２】
次いで、特性測定装置１の各構成要素について個別に説明する。測定部２は、一例として、一対の入力端子３１ａ，３１ｂ、負荷部３２、電流計３３、電圧計３４および演算制御部３５を備え、一対のプローブＰＬ１，ＰＬ２を介して接続された１つのストリング１２の出力電流および出力電圧（つまり、出力電流および出力電圧の関係を示す電流−電圧特性）を測定すると共に、この電流−電圧特性を示す測定データＤｉｖを処理部３に出力する。
【００２３】
負荷部３２は、一例として、図示はしないが、ゲート端子に印加されるゲート電圧Ｖｇの電圧値に応じてソース・ドレイン端子間の抵抗値を制御可能なＦＥＴ（電界効果型トランジスタ）で構成されて、軽負荷状態から重負荷状態までの間の任意の負荷状態に移行し得る電流ダミーロード（電子負荷）として機能する。なお、負荷部３２は、電流−電圧特性を測定可能でる限り、電子負荷方式以外に、コンデンサ負荷方式など種々の公知の方式を採用することができる。電流計３３は、負荷部３２と直列接続された状態で入力端子３１ａ，３１ｂ間に接続されて、負荷部３２に流れる電流（つまり、入力端子３１ａ，３１ｂ間に流れる上記の電流Ｉ）の電流値Ｉ１を測定すると共に、この電流値Ｉ１を示す電流データＤｉを演算制御部３５に出力する。電圧計３４は、入力端子３１ａ，３１ｂ間に生じる電圧Ｖ（本例では、プローブＰＬ１，ＰＬ２を介して接続された１つのストリング１２の出力電圧）の電圧値Ｖ１を測定すると共に、この電圧値Ｖ１を示す電圧データＤｖを演算制御部３５に出力する。
【００２４】
演算制御部３５は、例えば、不図示のＣＰＵおよびメモリを備えて構成されて、接続検出機能、測定機能およびストリング番号更新機能を備えている。この接続検出機能とは、演算制御部３５が、負荷部３２を軽負荷状態に移行させている状態において電圧計３４から出力される電圧データＤｖで表される入力端子３１ａ，３１ｂ間の電圧Ｖ（プローブＰＬ１，ＰＬ２間の電圧）の電圧値Ｖ１を取得すると共に、この電圧値Ｖ１が予め規定された電圧しきい値以上であるか否かに基づき、電圧しきい値以上のときにはプローブＰＬ１，ＰＬ２がストリング１２に接続されていると検出し、一方、電圧しきい値未満のときにはプローブＰＬ１，ＰＬ２はストリング１２に接続されていないと検出する機能である。
【００２５】
また、測定機能とは、演算制御部３５が、処理部３から後述の特性測定指示Ｓ２を入力しているときであって、接続検出機能に基づいて測定部２がストリング１２と接続されている状態であることを検出しているときに、このストリング１２についての電流−電圧特性を測定すると共に、この電流−電圧特性を示す測定データＤｉｖを、この測定データＤｉｖの測定時点でのストリング番号Ｎｓと共に処理部３に出力する機能である。この電流−電圧特性の測定では、演算制御部３５は、負荷部３２に出力するゲート電圧Ｖｇの電圧値を制御することにより、負荷部３２を重負荷状態（ソース・ドレイン端子間の抵抗値が極めて小さい状態）から軽負荷状態（ソース・ドレイン端子間の抵抗値が極めて大きい状態）に段階的に移行させつつ、各段階において電流計３３から出力される電流データＤｉおよび電圧計３４から出力される電圧データＤｖを順次取得して記憶する。また、演算制御部３５は、最後の段階（軽負荷状態）での電流データＤｉおよび電圧データＤｖの取得および記憶が完了したときには、すべての段階での電流データＤｉおよび電圧データＤｖを、測定したストリング１２の測定データＤｉｖとしてストリング番号Ｎｓと共に処理部３に出力する。
【００２６】
また、ストリング番号更新機能とは、演算制御部３５が、一例として、ストリング番号Ｎｓの初期値を値１として、測定データＤｉｖと共に処理部３に出力するストリング番号Ｎｓをインクリメントして更新する機能である。具体的には、演算制御部３５が、接続されているストリング１２についての測定データＤｉｖを測定時点でのストリング番号Ｎｓと共に処理部３に出力した後、接続検出機能に基づいてストリング１２（電流−電圧特性の測定が完了したストリング１２）との接続の解除を検出したときに、現在のストリング番号Ｎｓをインクリメントする機能である。また、演算制御部３５は、このストリング番号Ｎｓについては、予め規定された規定数Ｎｓ１（１つの接続箱１３に接続されているストリング１２の個数）と同数のストリング番号Ｎｓ（＝Ｎｓ１）を測定データＤｉｖと共に処理部３に出力した後において、接続検出機能に基づいてストリング１２との接続の解除を検出したときに初期値（値１）にリセットする。
【００２７】
処理部３は、例えば、不図示のＣＰＵを備えて構成されて、場所確認処理、測定部２に対する制御処理、箱識別情報を生成する箱識別情報生成処理、測定部２から出力される測定データＤｉｖの記憶処理、および記憶した測定データＤｉｖに基づいてこの測定データＤｉｖが測定されたストリング１２についての電流−電圧特性を示す特性グラフ（ＩＶカーブ）を表示部５の画面ＳＣ上に表示させる表示処理を実行する。
【００２８】
具体的には、処理部３は、場所確認処理については、表示部５の画面ＳＣ（後述するようにタッチパネル機能を備えて操作部６としても機能する）の表示内容が図３に示す測定画面（表示画面の一例）に切り替えられている状態において、「確認」ボタン（本例では一例として、「場所」の文字情報入力ボックス（以下、単に「入力ボックス」ともいう）の右隣に配置されたボタン）に対する操作が行われて、表示部５から後述する確認指示信号Ｓ４を入力したときに実行する。なお、「確認」ボタンに対する操作は、「測定開始」ボタンに対する操作の前に行われる。この場所確認処理では、処理部３は、まず、ＧＰＳ受信部７から受信位置情報Ｄｇｐを取得し、この取得した受信位置情報Ｄｇｐで示される受信位置に基づき、各測定データＤｉｖに関連付けられて記憶部４に記憶されている測定位置情報Ｄｇｐで示される測定位置を検索して、この受信位置が同じ位置または近傍（以下、両者を総称して「受信位置の近傍」ともいう）となる測定位置を検出する。この場合、同じ１つの接続箱１３に接続されている規定数Ｎｓ１のストリング１２の測定の際には、特性測定装置１の位置はほぼ一定であるため、ＧＰＳ受信部７から出力される受信位置情報Ｄｇｐも同じ受信位置を示すものとなっている。したがって、同じ接続箱１３に接続されている規定数Ｎｓ１のストリング１２についての測定データＤｉｖは、後述するように同じ受信位置情報Ｄｇｐ（後述する測定位置情報Ｄｇｐでもある）、および後述するように同じ場所情報Ｄｐに関連付けられて記憶部４に記憶される。
【００２９】
処理部３は、上記の受信位置の近傍となる測定位置の検出に際して、例えば、それぞれの測定位置について、この測定位置を中心とする所定形状で、かつ所定の広さの基準エリア（例えば、円形や正方形で、かつ数十平方メートル程度の広さのエリア）を規定して、各基準エリア内に受信位置が含まれているか否かを判別し、この受信位置が含まれる測定位置が存在しているときには、この測定位置をこの受信位置の近傍の測定位置として検出する。
【００３０】
この際に、受信位置の近傍の測定位置が１つだけ検出される場合（つまり、測定しようとしている現在の接続箱１３の位置が近傍となる測定位置の接続箱１３が１つだけ検出される場合）や、複数検出される場合（つまり、このような測定位置の接続箱１３が複数検出される場合）や、１つも検出されない場合（つまり、このような測定位置の接続箱１３が１つも検出されない場合）がある。処理部３は、受信位置の近傍の測定位置が１つだけ検出されたときには、この１つの測定位置を受信位置の近傍の測定位置として特定する。また、処理部３は、受信位置の近傍の測定位置が複数検出されたときには、例えば、受信位置に最も近い１つの測定位置を受信位置の近傍の測定位置として特定する。また、処理部３は、このようにして近傍の測定位置を特定したときには、この測定位置を示す測定位置情報Ｄｇｐと共に同じ測定データＤｉｖに関連付けられて記憶部４に記憶されている場所情報Ｄｐを記憶部４から読み出す。また、処理部３は、この読み出した場所情報Ｄｐを表示部５に出力して、「場所」の入力ボックス内に、入力すべき場所名（場所情報Ｄｐ）の候補として入力（表示）させる。一方、処理部３は、受信位置の近傍の測定位置が１つも検出されないとき（記憶部４に測定データＤｉｖが記憶されているが、この測定データＤｉｖに関連付けられて記憶されている測定位置情報Ｄｇｐで示される測定位置に該当するものがないときや、記憶部４に測定データＤｉｖが１つも記憶されていないとき）には、近傍の測定位置を特定できないため、この場所確認処理を終了させて、次の確認指示信号Ｓ４の入力を待つ。
【００３１】
また、処理部３は、制御処理については、表示部５の画面ＳＣの表示内容が図３に示す測定画面に切り替えられている状態において、「測定開始」ボタンに対する操作が行われて、表示部５から後述する測定開始信号Ｓ１を入力したときに実行する。この際に、処理部３は、この測定開始信号Ｓ１と共に、測定画面に表示されている「場所」の入力ボックス内に入力されている場所名（文字情報）を場所情報Ｄｐとして、また「ボックスＮｏ」の入力ボックス内に入力されている情報（数値）を箱番号Ｎｂの初期値として表示部５から入力（取得）する。この制御処理では、処理部３は、測定部２に対して特性測定指示Ｓ２を出力する。また、この制御処理では、処理部３は、後述するようにして、１つの接続箱１３に接続されているすべてのストリング１２（本例では上記したように、規定数Ｎｓ１のストリング１２）についての電流−電圧特性の測定が完了したことを検出したときに、測定部２に対する特性測定指示Ｓ２の出力を停止する。
【００３２】
また、処理部３は、箱識別情報生成処理では、接続箱１３に接続されている複数のストリング１２についての測定データＤｉｖを、接続箱１３単位でまとめて取り扱うための箱識別情報を生成する。本例では一例として、処理部３は、この箱識別情報生成処理において、箱識別情報としての箱番号Ｎｂを、初期値を値１として、１つの接続箱１３に接続されている複数（規定数Ｎｓ１）のストリング１２についての測定データＤｉｖの測定が完了する都度、値をインクリメントして生成する。この場合、処理部３は、測定データＤｉｖと共に測定部２から出力されるストリング番号Ｎｓが規定数Ｎｓ１に達したことを検出したときに、１つの接続箱１３に接続されているすべてのストリング１２についての測定データＤｉｖの測定が完了したと判別して箱番号Ｎｂをインクリメントする。
【００３３】
なお、箱番号Ｎｂの初期値はデフォルトでは上記したように値１であるが、後述するように画面ＳＣの表示内容が図３に示す測定画面に切り替えられている状態において、「測定開始」ボタンに対する操作が行われる前段階では、同じく画面ＳＣに表示されている「場所」の入力ボックス内への情報（例えば、「上田」などの場所を示す文字情報）の入力や上記した場所確認処理においてこの入力ボックス内に表示された情報の修正（変更）、また「ボックスＮｏ」の入力ボックス内への情報（数値情報）の入力が作業者（ユーザ）の文字入力操作によって可能になっており、その後に「測定開始」ボタンが操作されたときには、「場所」の入力ボックス内に入力されている情報は場所情報Ｄｐとして、また「ボックスＮｏ」の入力ボックス内に入力されている情報は箱番号Ｎｂの初期値として、測定開始信号Ｓ１と共に処理部３に出力される。
【００３４】
また、処理部３は、記憶処理では、測定部２から新たな測定データＤｉｖおよびストリング番号Ｎｓが出力される都度、これらを取得する。また、処理部３は、この取得した測定データＤｉｖおよびストリング番号Ｎｓを、これらを取得した時点での箱番号Ｎｂと測定位置情報Ｄｇｐと場所情報Ｄｐとに関連付けて記憶部４に記憶させる。これにより、各ストリング１２についての測定データＤｉｖは、対応するストリング番号Ｎｓと共に、ストリング１２が接続されている箱番号Ｎｂ、並びにストリング１２の測定位置（設置位置でもある）を示す測定位置情報Ｄｇｐおよびストリング１２の場所名を示す場所情報Ｄｐと関連付けされて記憶される。この場合、処理部３は、測定位置情報Ｄｇｐについては、測定部２による新たな測定データＤｉｖおよびストリング番号Ｎｓの出力の際にＧＰＳ受信部７から出力される受信位置を示す受信位置情報Ｄｇｐ（緯度および経度を示す情報）を取得して使用し、また場所情報Ｄｐについては、表示部５から測定開始信号Ｓ１と共に出力されたものを取得して使用する。なお、同じ接続箱１３に接続されているストリング１２についての測定データＤｉｖについては、上記したように同じ測定位置となるため、最初のストリング１２についての測定データＤｉｖを測定部２から取得したときにＧＰＳ受信部７から取得した受信位置情報Ｄｇｐを共通の測定位置情報Ｄｇｐとして、その後のストリング１２についての測定データＤｉｖにも関連付けて記憶させる構成を採用することもできる。
【００３５】
また、処理部３は、表示処理として、リアルタイム表示処理およびバッチ表示処理を実行する。処理部３は、リアルタイム表示処理については、１つの接続箱１３に接続されている各ストリング１２についての測定データＤｉｖの測定中に実行する。このリアルタイム表示処理では、処理部３は、測定部２から新たな測定データＤｉｖを取得する都度、これを表示部５に出力する。表示部５は、図３に示すような測定画面に画面ＳＣの表示内容が切り替えられている状態においてこの測定データＤｉｖを取得（入力）して、この測定データＤｉｖで表される電流−電圧特性を示す特性グラフを画面ＳＣ上に表示させた１つのＩＶ座標空間ＡＲ（例えば、電圧値を横軸とし、電流値を縦軸とする直交座標空間）内に重ね合わせて表示する。この際に、処理部３は、表示部５に対して、最新の測定データＤｉｖに基づく最新の特性グラフについては最新区別用表示形態（最新の特性グラフであることを示すための表示形態）で表示させ、他の特性グラフについてはこの最新区別用表示形態とは異なる表示形態（最新の特性グラフと区別し得る表示形態）で表示させる。例えば、本例では、最新の特性グラフは最新区別用表示形態として特定色（例えば青色）で表示させ、他の特性グラフについては特定色以外の表示色（例えば灰色）で表示させるが、このように表示色を異なるものとする構成以外に、例えば線種を異なるものとする構成（例えば、実線と破線や、実線と一点鎖線などを使用して区別する構成や、線の太さを異ならせて区別する構成）など、さまざまな構成を採用することができる。
【００３６】
この構成により、例えば、図３に示すように、ＩＶ座標空間ＡＲ内に４つの特性グラフＧ１，Ｇ２，Ｇ３，Ｇ４がこの順に表示されたときに、他の特性グラフＧ１，Ｇ２，Ｇ３の表示形態（同図では一点鎖線での表示形態）と異なる最新区別用表示形態（同図では太実線での表示形態）で表示されている特性グラフＧ４が最新の特性グラフであることが明確に識別可能となる。また、図示はしないが、さらに次の特性グラフが表示されたときには、この特性グラフが最新区別用表示形態で表示され、それまで最新区別用表示形態で表示されていた特性グラフＧ４は、特性グラフＧ１〜Ｇ３と同じ表示形態に変更して表示される。また、本例では、処理部３は、リアルタイム表示処理において、測定データＤｉｖと共に、この測定データＤｉｖに関連付けされている（対応する）ストリング番号Ｎｓおよび箱番号Ｎｂについても表示部５に出力して、図３に示すように画面ＳＣに表示させる構成を採用しているが、ストリング番号Ｎｓおよび箱番号Ｎｂのいずれか一方のみを表示させる構成や、いずれも表示させない構成としてもよい。
【００３７】
また、処理部３は、バッチ表示処理については、表示部５の画面ＳＣに対する操作が行われて、この画面ＳＣの表示内容が図４に示すデータ閲覧画面（表示画面の一例）に切り替えられている状態において、このデータ閲覧画面に表示されている「場所」の入力ボックス内に場所を指定するための情報が入力され、かつ「ボックスＮｏ」の入力ボックス内に接続箱１３を指定するための情報が入力されているときに、「表示開始」ボタンに対する操作が行われ、この「表示開始」ボタンに対する操作に起因して操作部６として表示部５から閲覧開始信号Ｓ３が出力されたときに実行する。また、表示部５は、この閲覧開始信号Ｓ３と共に、「場所」の入力ボックス内に入力されている情報を場所指定情報ＳＤｐとして、また「ボックスＮｏ」の入力ボックス内に入力されている情報を箱指定情報としての箱指定番号ＳＮｂとして処理部３に出力する。この場合、箱指定情報とは、閲覧対象とする測定データＤｉｖに関連付けられた接続箱１３を示す箱識別情報を指定するための情報であり、本例では、各接続箱１３の箱識別情報は箱番号Ｎｂであるため、箱指定情報としてこの箱番号Ｎｂを指定するための箱指定番号ＳＮｂが用いられている。また、場所指定情報ＳＤｐとは、閲覧対象とする測定データＤｉｖに関連付けられた場所情報Ｄｐを指定するための情報である。なお、箱識別情報として上記の箱番号Ｎｂに代えて、符号（例えば、アルファベットや、アルファベットと数字の組み合わせ）を使用する構成を採用することもでき、この場合には、箱指定情報も同様にして符号を使用する構成を採用する。
【００３８】
このバッチ表示処理では、処理部３は、表示部５からの閲覧開始信号Ｓ３の出力を検出したときには、まず、閲覧開始信号Ｓ３と共に出力された箱指定番号ＳＮｂおよび場所指定情報ＳＤｐを取得する。次いで、処理部３は、記憶部４に記憶されている各測定データＤｉｖに関連付けられている箱番号Ｎｂおよび場所情報Ｄｐを検索して、この箱番号Ｎｂが上記の箱指定番号ＳＮｂと、またこの場所情報Ｄｐが上記の場所指定情報ＳＤｐとそれぞれ一致する（同じになる）測定データＤｉｖを閲覧対象の測定データＤｉｖとして特定して、対応するストリング番号Ｎｓと共にすべて読み出す。これにより、場所指定情報ＳＤｐで示される場所で、かつ箱指定番号ＳＮｂで示される接続箱１３に接続されている規定数Ｎｓ１のストリング１２についての測定データＤｉｖがストリング番号Ｎｓと共に閲覧対象の測定データＤｉｖとしてすべて読み出される。
【００３９】
次いで、処理部３は、このようにして読み出した閲覧対象の測定データＤｉｖを表示部５に出力する。表示部５は、図４に示すようなデータ閲覧画面に画面ＳＣの表示内容が切り替えられている状態においてこの閲覧対象の測定データＤｉｖを取得（入力）して、この閲覧対象の測定データＤｉｖで表される電流−電圧特性を示す特性グラフを図４に示すように画面ＳＣ上に表示させた１つのＩＶ座標空間ＡＲ内に重ね合わせて表示する。
【００４０】
記憶部４は、例えば、ＲＡＭなどの半導体メモリやハードディスク装置などで構成されて、処理部３についての動作プログラムが予め記憶されると共に、測定データＤｉｖ、ストリング番号Ｎｓ、箱番号Ｎｂ、測定位置情報Ｄｇｐおよび場所情報Ｄｐが記憶される。
【００４１】
表示部５は、例えば、画面ＳＣがタッチパネル機能を備えたディスプレイ装置（液晶ディスプレイ装置など）で構成されている。操作部６は、上記のようにタッチパネル機能を備えた表示部５の画面ＳＣで構成されている。この表示部５は、処理部３と有線伝送路で接続されたディスプレイ装置であってもよいし、無線伝送路で接続されたディスプレイ装置（タブレット端末など）であってもよい。また、表示部５は、画面ＳＣに対する操作内容に応じて、処理部３により、画面ＳＣの表示内容が図３に示す測定画面または図４に示すデータ閲覧画面に切り替えられる。
【００４２】
また、表示部５は、画面ＳＣの表示内容が図３に示す測定画面に切り替えられている状態であって、かつ画面ＳＣに表示されている「場所」の入力ボックス内に場所情報Ｄｐ（同図では、一例として「上田」の文字情報）が入力されている状態において、画面ＳＣに表示されている「測定開始」ボタンが操作されたときには、測定開始信号Ｓ１を場所情報Ｄｐと共に処理部３に出力する。この際に、表示部５は、画面ＳＣに表示されている「ボックスＮｏ」の入力ボックス内に情報（数値）が入力されているときには、この情報を箱番号Ｎｂの初期値として測定開始信号Ｓ１および場所情報Ｄｐと共に処理部３に出力する。また、表示部５は、画面ＳＣの表示内容が図４に示すデータ閲覧画面に切り替えられている状態であって、画面ＳＣに表示されている「場所」の入力ボックス内に場所指定情報ＳＤｐ（同図では、一例として「上田」の文字情報）が入力され、かつ「ボックスＮｏ」の入力ボックス内に箱指定番号ＳＮｂ（同図では、一例として値１０の数値情報）が入力されている状態において、画面ＳＣに表示されている「表示開始」ボタンが操作されたときには、閲覧開始信号Ｓ３を、箱指定番号ＳＮｂおよび場所指定情報ＳＤｐと共に処理部３に出力する。なお、操作部６については、タッチパネル機能を備えた画面とする構成に限定されず、キーボードなどの他の入力装置で構成することもできる。
【００４３】
ＧＰＳ受信部７は、不図示のＧＰＳ衛星からの送信電波を受信して現在の受信位置を示す受信位置情報Ｄｇｐを生成して処理部３に出力する。
【００４４】
次に、特性測定装置１を用いて、複数の場所に設置された複数の接続箱１３に接続されている複数のストリング１２の電流−電圧特性を測定すると共に、この測定した電流−電圧特性を接続箱１３単位で閲覧する際の特性測定装置１の動作について説明する。なお、各ストリング１２は、太陽光を受けて光起電力を発生させているものとする。また、一例として、上田市のある同じ場所（同じ１つの基準エリア内）に設置されて同じ電源制御ユニット（いわゆるパワーコンディショナ）に接続されている８個の接続箱１３と、同じ上田市ではあるものの別の同じ場所（同じ１つの基準エリア内）に設置されて他の同じパワーコンディショナに接続されている１２個の接続箱１３と、小諸市のある同じ場所（同じ１つの基準エリア内）に設置されて他の同じパワーコンディショナに接続されている１１個の接続箱１３とにそれぞれに接続されているストリング１２についての測定を実施するものとする。
【００４５】
最初に、各場所（本例では上記のように、３つの場所）にそれぞれ設置された複数の接続箱１３にそれぞれ接続されている複数（規定数Ｎｓ１）のストリング１２の電流−電圧特性を測定する際の特性測定装置１の動作について説明する。なお、当初、記憶部４には、測定データＤｉｖは１つも記憶されていないものとする。
【００４６】
まず、上田市内の１つの設置場所に設置された８個の接続箱１３に接続されているストリング１２についての測定を実施する際には、作業者は、まず、８個の接続箱１３のうちの１番目の接続箱１３の測定位置において、表示部５の画面ＳＣに対する操作を実行して、画面ＳＣの表示内容を図３に示すような測定画面に切り替える。次いで、作業者は、画面ＳＣに表示されている測定画面中の「確認」ボタンを操作する。表示部５は、この操作に対応して確認指示信号Ｓ４を生成して処理部３に出力する。
【００４７】
処理部３は、この確認指示信号Ｓ４を入力して、場所確認処理を実行する。この場所確認処理では、処理部３は、ＧＰＳ受信部７から受信位置情報Ｄｇｐを取得し、この取得した受信位置情報Ｄｇｐで示される受信位置に基づき、各測定データＤｉｖに関連付けられて記憶部４に記憶されている測定位置情報Ｄｇｐで示される測定位置を検索して、この受信位置が近傍となる測定位置を検出する。しかしながら、この段階では、記憶部４には測定データＤｉｖは１つも記憶されていないため、処理部３は、この受信位置が近傍となる測定位置を検出できない。このため、処理部３は、場所確認処理を終了して、表示部５からの次の確認指示信号Ｓ４の入力を待つ。したがって、この時点では、処理部３は、「場所」の入力ボックス内に表示させるための情報の表示部５への出力は実行しない。これにより、表示部５は、「場所」の入力ボックス内への場所名の候補についての表示は実行しない。
【００４８】
作業者は、「確認」ボタンを操作しても画面ＳＣ上の「場所」の入力ボックス内に場所名の候補が表示されないことから、現在の測定対象であるストリング１２と同じ場所のストリング１２についての測定データＤｉｖについては記憶部４には１つも記憶されておらず、したがって、操作部６を介して処理部３に場所名を示す場所情報Ｄｐを入力すべきであることを認識することが可能となっている。このため、作業者は、画面ＳＣに対する操作を実行して、画面ＳＣに表示されている「場所」の入力ボックス内に場所情報Ｄｐ（この例では場所名「上田」を示す文字情報）を入力し、かつ「ボックスＮｏ」の入力ボックス内に箱番号Ｎｂの初期値である値１を入力して、画面ＳＣに表示されている「測定開始」ボタンを操作する。これにより、操作部６として機能する表示部５は、測定開始信号Ｓ１を、場所情報Ｄｐ（「上田」）および箱番号Ｎｂの初期値（この場合は、デフォルトの値１）と共に処理部３に出力する。
【００４９】
処理部３は、この測定開始信号Ｓ１の出力を検出して制御処理を実行する。この制御処理では、処理部３は、まず、測定部２に対して特性測定指示Ｓ２を出力し、次いで、１番目の接続箱１３に接続されている規定数Ｎｓ１のストリング１２についての電流−電圧特性の測定が完了したか否かの検出を開始する。この場合、処理部３は、後述するように、１番目の接続箱１３に接続されている規定数Ｎｓ１のストリング１２についての電流−電圧特性の測定が完了していないことを検出しているときには、特性測定指示Ｓ２の出力を継続し、一方、測定が完了したことを検出したときには、特性測定指示Ｓ２の出力を停止する。
【００５０】
測定部２では、演算制御部３５が、特性測定指示Ｓ２が処理部３から出力されていることを検出し、この状態において、接続検出機能に基づき、プローブＰＬ１，ＰＬ２がストリング１２に接続されたか否か（図１に示すように、プローブＰＬ１がストリング１２の正極Ｐ１に接続され、かつプローブＰＬ２がストリング１２の負極Ｐ２に接続されたか否か）の検出を実行する。
【００５１】
この状態において、作業者は、１番目の接続箱１３の蓋を開けて、この接続箱１３に接続されている規定数Ｎｓ１のストリング１２のうちの１つを測定対象のストリング１２として、対応するスイッチ１５を操作して他のストリング１２から切り離すと共に、プローブＰＬ１，ＰＬ２をその正極Ｐ１および負極Ｐ２に接続する。
【００５２】
これにより、測定部２では、演算制御部３５が、特性測定指示Ｓ２の入力状態において、プローブＰＬ１，ＰＬ２のストリング１２への接続を接続検出機能に基づき検出することで、測定機能に基づき、このストリング１２の電流−電圧特性を測定すると共に、この電流−電圧特性を示す測定データＤｉｖを、この測定データＤｉｖの測定時点でのストリング番号Ｎｓ（この場合、この場所での最初のストリング１２であるため、初期値１）と共に処理部３に出力する。
【００５３】
この測定データＤｉｖおよびストリング番号Ｎｓを入力した処理部３は、記憶処理を実行して、この測定データＤｉｖを、このストリング番号Ｎｓ、箱識別情報としての箱番号Ｎｂ（この場合、操作部６から出力された箱番号Ｎｂの初期値はデフォルトの値１であるため、この値１）、ＧＰＳ受信部７から取得した現在の受信位置を示す受信位置情報Ｄｇｐ（つまり、現在測定対象としているストリング１２の測定位置（このストリング１２が接続されている現在の接続箱１３についての測定位置でもある）を示す測定位置情報Ｄｇｐ。例えば、緯度を示す値としてのＧＰ００１ａ、および経度を示す値としてのＧＰ００１ｂ）、および操作部６としての表示部５から取得（入力）した場所情報Ｄｐ（「上田」）に関連付けて、記憶部４に記憶させる。
【００５４】
また、処理部３は、この１番目の接続箱１３に接続されている各ストリング１２についての測定データＤｉｖの測定中にリアルタイム表示処理を実行して、この測定された測定データＤｉｖと、これに関連付けられた箱番号Ｎｂおよびストリング番号Ｎｓを表示部５に出力して、図３に示すように、測定データＤｉｖで表される特性グラフ（ＩＶカーブ）を画面ＳＣ上のＩＶ座標空間ＡＲ内に表示させると共に、画面ＳＣ上の「ボックスＮｏ」の表示ボックス内に箱番号Ｎｂを表示させ、かつ画面ＳＣ上の「ストリングＮｏ」の表示ボックス内にストリング番号Ｎｓを表示させる。このため、作業者は、この表示部５の画面ＳＣに表示される表示内容に基づいて、現在、プローブＰＬ１，ＰＬ２を接続して電流−電圧特性を測定しているストリング１２（画面ＳＣに表示されている箱番号Ｎｂの接続箱１３に接続されているストリング番号Ｎｓのストリング１２）についての電流−電圧特性をリアルタイムで確認（視認）することが可能となっている。
【００５５】
また、処理部３は、箱識別情報生成処理を実行して、測定部２から測定データＤｉｖと共に取得したストリング番号Ｎｓが規定数Ｎｓ１に達したか否かを検出し、規定数Ｎｓ１に達したことを検出したときには、現在の接続箱１３に接続されているすべてのストリング１２についての測定データＤｉｖの測定が完了したと判別して箱番号Ｎｂをインクリメントすると共に、測定部２への特性測定指示Ｓ２の出力を停止する。この場合、ストリング番号Ｎｓは値１であり、規定数Ｎｓ１に達していないため、処理部３は、箱番号Ｎｂのインクリメントは実施せず、また測定部２への特性測定指示Ｓ２の出力を継続する。
【００５６】
作業者は、現在の測定対象であるストリング１２の測定が完了したことで、このストリング１２からプローブＰＬ１，ＰＬ２を離す。測定部２では、演算制御部３５が、測定データＤｉｖの処理部３への出力後において、プローブＰＬ１，ＰＬ２がストリング１２から離れたこと（接続が解除されたこと）を接続検出機能に基づいて検出するため、ストリング番号更新機能により、現在のストリング番号Ｎｓをインクリメントする。作業者は、プローブＰＬ１，ＰＬ２を離した後に、測定が完了したストリング１２に対応するスイッチ１５を操作して他のストリング１２との並列接続状態に戻し、次いで、未測定のストリング１２のうちの１つを新たな測定対象のストリング１２として、対応するスイッチ１５を操作して他のストリング１２から切り離すと共に、プローブＰＬ１，ＰＬ２を接続する。
【００５７】
この後、特性測定装置１では、測定部２および処理部３が、上記した１番目のストリング１２についての測定データＤｉｖの測定のときと同様に動作して、２番目、３番目、・・・、というように現在の接続箱１３に接続されているストリング１２についての測定データＤｉｖの測定・記憶およびこの測定データＤｉｖで表される特性グラフ（ＩＶカーブ）等の画面ＳＣ上への表示を順次実行する。
【００５８】
これにより、記憶部４には、現在の接続箱（１番目の接続箱）１３に接続されている各ストリング１２についての測定データＤｉｖが、そのストリング番号Ｎｓ、同じ箱番号Ｎｂ、同じ測定位置情報Ｄｇｐおよび同じ場所情報Ｄｐに関連付けされて記憶される。この場合、上記したように、同じ接続箱１３に接続されている規定数Ｎｓ１のストリング１２の測定位置は同じであり、よってこの規定数Ｎｓ１のストリング１２の測定場所も同じである。このため、処理部３は、この規定数Ｎｓ１のストリング１２の各測定データＤｉｖについては、同じ箱番号Ｎｂ、同じ測定位置情報Ｄｇｐおよび同じ場所情報Ｄｐに関連付けされて記憶部４に記憶させる。また、表示部５の画面ＳＣ上のＩＶ座標空間ＡＲ内には、各ストリング１２についての特性グラフが重ね合わされた状態で表示される。この際に、処理部３は、表示部５に対して、最新の測定データＤｉｖに基づく最新の特性グラフについては最新区別用表示形態で表示させ、他の特性グラフについてはこの最新区別用表示形態とは異なる表示形態で表示させる。また、画面ＳＣ上の「ストリングＮｏ」の表示ボックス内には、この最新の特性グラフに対応するストリング１２のストリング番号Ｎｓが表示される。したがって、作業者は、表示部５の画面ＳＣの表示内容を視認することにより、測定が完了した直後のストリング１２についての特性グラフ（つまり、最新の特性グラフ）を確認しつつ、このストリング１２が現在の接続箱１３に接続されている規定数Ｎｓ１のストリング１２のうちの何番目のストリング１２であるかを確認することが可能となっている。
【００５９】
また、処理部３は、規定数Ｎｓ１番目のストリング１２についての測定データＤｉｖの測定・記憶およびこの測定データＤｉｖで表される特性グラフ（ＩＶカーブ）等の画面ＳＣ上への表示を実行したときには、その後に実行する箱識別情報生成処理において、測定部２から測定データＤｉｖと共に取得したストリング番号Ｎｓが規定数Ｎｓ１に達したことを検出し、これにより、現在の接続箱１３に接続されているすべてのストリング１２についての測定データＤｉｖの測定が完了したと判別して箱番号Ｎｂをインクリメントすると共に、測定部２への特性測定指示Ｓ２の出力を停止する。
【００６０】
作業者は、現在の接続箱１３に接続されているすべての（規定数Ｎｓ１の）ストリング１２についての電流−電圧特性の測定が完了したことで、このストリング１２からプローブＰＬ１，ＰＬ２を離し、対応するスイッチ１５を操作して他のストリング１２との並列接続状態に戻した後に、この接続箱１３の蓋を閉める。測定部２では、演算制御部３５は、プローブＰＬ１，ＰＬ２がストリング１２から離れたこと（接続が解除されたこと）を接続検出機能に基づいて検出するが、処理部３からの特性測定指示Ｓ２の出力が停止されているため、ストリング番号更新機能によるストリング番号Ｎｓのインクリメントは実施しない。
【００６１】
その後、作業者は、８個の接続箱１３のうちの残りの接続箱１３の測定位置に移動しながら、上記した１番目の接続箱１３のときと同様にして、各接続箱１３に接続されている規定数Ｎｓ１のストリング１２についての電流−電圧特性の測定を実行する。
【００６２】
この場合、２番目以降の各接続箱１３に接続されている規定数Ｎｓ１のストリング１２についての電流−電圧特性の測定においては、作業者が、新たな接続箱１３に接続されている規定数Ｎｓ１のストリング１２に対する測定を開始する前に、図３に示すように画面ＳＣ上に表示されている測定画面中の「確認」ボタンを操作したときには、以下に説明するようにして、１番目の接続箱１３についての場所情報Ｄｐ（「上田」）が「場所」の入力ボックス内に自動的に入力（表示）されるため、この場所情報Ｄｐ（「上田」）を確認すると共に、画面ＳＣに表示されている「測定開始」ボタンを操作する。これにより、操作部６として機能する表示部５は、測定開始信号Ｓ１を、場所情報Ｄｐ（「上田」）と共に処理部３に出力する。なお、箱番号Ｎｂについては、同じ設置場所に設置されている８個の接続箱１３のうちの１番目の接続箱１３の測定の開始時に初期値としての値１を入力し、その後は、処理部３が自動的に箱番号Ｎｂをインクリメントしていることから、この８個の接続箱１３のうちの残りの接続箱１３についての測定中の入力は不要である。
【００６３】
２個目以降の各接続箱１３についての測定に際して、「確認」ボタンが操作されたときの動作について具体的に説明する。表示部５は、「確認」ボタンが操作されたときに、確認指示信号Ｓ４を生成して処理部３に出力する。処理部３は、この確認指示信号Ｓ４を入力して、場所確認処理を実行する。この場所確認処理では、処理部３は、ＧＰＳ受信部７から受信位置情報Ｄｇｐを取得し、この取得した受信位置情報Ｄｇｐで示される受信位置に基づき、記憶部４に各測定データＤｉｖに関連付けられて記憶されている測定位置情報Ｄｇｐで示される測定位置を検索して、この受信位置が近傍となる測定位置を検出する。この段階では、記憶部４には、１番目の接続箱１３に接続されているストリング１２についての測定データＤｉｖ（つまり、測定しようとしている現在の接続箱１３と同じ基準エリア内に設置されている他の接続箱１３の測定データＤｉｖ）が、この１番目の接続箱１３についての測定位置を示す測定位置情報Ｄｇｐ、および場所名を示す場所情報Ｄｐ（「上田」）に関連付けられて記憶されている。
【００６４】
このため、処理部３は、ＧＰＳ受信部７から取得した受信位置情報Ｄｇｐで示される受信位置が記憶部４に記憶されている１番目の接続箱１３の測定データＤｉｖに関連付けられている測定位置情報Ｄｇｐで示される測定位置の近傍となっている（この受信位置は、測定位置を中心とする基準エリア内に含まれている）ことを検出して、記憶部４からこの１番目の接続箱１３の各ストリング１２の測定データＤｉｖに関連付けられている場所情報Ｄｐ（「上田」）を読み出す。また、処理部３は、この読み出した場所情報Ｄｐ（「上田」）を表示部５に出力して、「場所」の入力ボックス内に、新たな接続箱１３（つまり、この接続箱１３に接続されている規定数Ｎｓ１のストリング１２）の場所名を示す場所情報Ｄｐの候補として表示させる。これにより、場所確認処理が完了する。
【００６５】
このように、この特性測定装置１では、新たな接続箱１３のストリング１２に対する測定を実行する前に、作業者が画面ＳＣに表示されている測定画面中の「確認」ボタンを操作した際に、処理部３が場所確認処理を実行して、この新たな接続箱１３のストリング１２の位置（ＧＰＳ受信部７から取得した受信位置情報Ｄｇｐで示される受信位置）が近傍となる測定位置に設置されている接続箱１３の測定データＤｉｖが既に記憶部４に記憶されているときには、この接続箱１３についての場所情報Ｄｐを記憶部４から読み出して、新たな接続箱１３に接続されている規定数Ｎｓ１のストリング１２についての場所名を示す場所情報Ｄｐの候補として画面ＳＣ上の「場所」の入力ボックス内に表示させる。したがって、作業者にとっては、既に測定が完了した接続箱１３と同じ設置場所に設置されている新たな接続箱１３についての測定の際に、新たな接続箱１３の場所名として入力すべき場所情報Ｄｐが画面ＳＣ上の「場所」の入力ボックス内に自動的に表示（入力）されるため、場所情報Ｄｐを入力する手間を省くことが可能となると共に、誤った場所情報Ｄｐを「場所」の入力ボックス内に入力するという事態の発生を回避することが可能となっている。
【００６６】
作業者は、この「場所」の入力ボックス内に自動的に入力された場所情報Ｄｐ（「上田」）を確認した後に、画面ＳＣに表示されている「測定開始」ボタンを操作する。これにより、操作部６として機能する表示部５は、測定開始信号Ｓ１を、場所情報Ｄｐ（「上田」）と共に処理部３に出力する。これにより、処理部３は、新たな接続箱１３に接続されている規定数Ｎｓ１のストリング１２についての電流−電圧特性の測定を実行する。
【００６７】
このようにして、作業者が特性測定装置１を用いて８個の接続箱１３に接続されている規定数Ｎｓ１のストリング１２についての電流−電圧特性の測定を実施した時点で、記憶部４には、図５に示すように、８個の接続箱１３にそれぞれ接続されている規定数Ｎｓ１のストリング１２についての電流−電圧特性を示す測定データＤｉｖが、場所情報Ｄｐ（「上田」）、箱番号Ｎｂ（値１から値８までの整数）、ストリング番号Ｎｓ（値１から値Ｎｓ１までの整数）、および測定位置情報Ｄｇｐに関連付けられて記憶される。
【００６８】
この測定位置情報Ｄｇｐに関して、上記したように、同じ接続箱１３に接続されている各ストリング１２については、同じ測定位置を示すものとなる。このため、箱番号Ｎｂが値１の接続箱１３（１番目の接続箱１３）に接続されている規定数Ｎｓ１のストリング１２については、上記したように、緯度を示す値としてのＧＰ００１ａおよび経度を示す値としてのＧＰ００１ｂが測定位置情報Ｄｇｐとして記憶され、箱番号Ｎｂが値２の接続箱１３（２番目の接続箱１３）に接続されている規定数Ｎｓ１のストリング１２については、緯度を示す値としてのＧＰ００２ａおよび経度を示す値としてのＧＰ００２ｂが測定位置情報Ｄｇｐとして記憶され、以下、残りの接続箱１３に接続されている規定数Ｎｓ１のストリング１２についても緯度を示す値および経度を示す値が測定位置情報Ｄｇｐとして記憶される（最後の箱番号Ｎｂが値８の接続箱１３（８番目の接続箱１３）に接続されている規定数Ｎｓ１のストリング１２については、緯度を示す値としてのＧＰ００８ａおよび経度を示す値としてのＧＰ００８ｂが測定位置情報Ｄｇｐとして記憶される）。また、場所情報Ｄｐについては、これら８個の接続箱１３は設置場所が同じ（同じ基準エリア内に位置している）ため、同一の場所情報Ｄｐ（「上田」を示す情報）が記憶される。
【００６９】
次に、上田市内の別の１つの設置場所に設置された１２個の接続箱１３に接続されているストリング１２についての測定を実施する際には、作業者は、この１２個の接続箱１３のうちの１番目の接続箱１３の測定位置において、先の８個の接続箱１３のときと同様にして、表示部５の画面ＳＣに対する操作を実行して、画面ＳＣの表示内容を図３に示すような測定画面に切り替える。次いで、作業者は、画面ＳＣに表示されている測定画面中の「確認」ボタンを操作する。表示部５は、この操作に対応して確認指示信号Ｓ４を生成して処理部３に出力する。
【００７０】
処理部３は、この確認指示信号Ｓ４を入力して場所確認処理を実行し、ＧＰＳ受信部７から出力されている受信位置情報Ｄｇｐで示される受信位置と近傍となる測定位置を示す測定位置情報Ｄｇｐが記憶部４に記憶されているか否かを検出する。この段階では、記憶部４には、上記したように、同じ上田市内に設置されている８個の接続箱１３に接続されているストリング１２の測定データＤｉｖが記憶されているが、設置場所が異なる（基準エリア外の）ため、処理部３は、この受信位置が近傍となる測定位置を検出できない。このため、処理部３は、場所確認処理を終了して、表示部５からの次の確認指示信号Ｓ４の入力を待つ。したがって、この時点では、処理部３は、「場所」の入力ボックス内に表示させるための情報の表示部５への出力は実行しない。これにより、表示部５は、「場所」の入力ボックス内への場所の候補についての表示は実行しない。
【００７１】
作業者は、「確認」ボタンを操作しても画面ＳＣ上の「場所」の入力ボックス内に場所の候補が表示されないことから、現在の測定対象であるストリング１２と同じ場所のストリング１２についての測定データＤｉｖについては記憶部４には１つも記憶されておらず、したがって、操作部６を介して処理部３に場所情報Ｄｐを入力すべきであることを認識する。このため、作業者は、画面ＳＣに対する操作を実行して、画面ＳＣに表示されている「場所」の入力ボックス内に場所情報Ｄｐ（この例では「上田」の文字情報）を入力し、かつ「ボックスＮｏ」の入力ボックス内に入力されている箱番号Ｎｂの初期値である値１を値９に設定し直して、画面ＳＣに表示されている「測定開始」ボタンを操作する。これにより、操作部６として機能する表示部５は、測定開始信号Ｓ１を、場所情報Ｄｐ（「上田」）および箱番号Ｎｂの初期値（この場合は、値９）と共に処理部３に出力する。なお、箱番号Ｎｂの初期値をデフォルトの値１から値９に設定し直す理由は、上記したように、同じ場所（上田）に設置されている別の８個の接続箱１３に接続されているストリング１２についての測定が完了しており、同じ場所での９番目の接続箱１３だからである。
【００７２】
これ以降は、測定部２、処理部３および表示部５は、箱番号Ｎｂの初期値を値９とする以外は、上記した上田市内の別の設置場所に設置された８個の接続箱１３に接続されているストリング１２についての測定のときと同様に動作して、１２個の接続箱１３に接続されている各ストリング１２についての電流−電圧特性（測定データＤｉｖ）の測定を実行する。
【００７３】
これにより、作業者が特性測定装置１を用いて１２個の接続箱１３にそれぞれ接続されている規定数Ｎｓ１のストリング１２についての電流−電圧特性の測定を実施した時点で、記憶部４には、図６に示すように、１２個の接続箱１３にそれぞれ接続されている規定数Ｎｓ１のストリング１２についての電流−電圧特性を示す測定データＤｉｖが、場所情報Ｄｐ（「上田」）、箱番号Ｎｂ（値９から値２０までの整数）、ストリング番号Ｎｓ（値１から値Ｎｓ１までの整数）、および測定位置情報Ｄｇｐに関連付けられて記憶される。
【００７４】
この測定位置情報Ｄｇｐについては、上記したように、同じ接続箱１３に接続されている各ストリング１２については、同じ測定位置を示すものとなる。このため、箱番号Ｎｂが値９の接続箱１３（上田市内での９番目の接続箱１３）に接続されている規定数Ｎｓ１のストリング１２については、上記したように、緯度を示す値としてのＧＰ００９ａおよび経度を示す値としてのＧＰ００９ｂが測定位置情報Ｄｇｐとして記憶され、箱番号Ｎｂが値１０の接続箱１３（上田市内での１０番目の接続箱１３）に接続されている規定数Ｎｓ１のストリング１２については、緯度を示す値としてのＧＰ０１０ａおよび経度を示す値としてのＧＰ０１０ｂが測定位置情報Ｄｇｐとして記憶され、以下、残りの接続箱１３に接続されている規定数Ｎｓ１のストリング１２についても緯度を示す値および経度を示す値が測定位置情報Ｄｇｐとして記憶される（箱番号Ｎｂが値２０の接続箱１３（上田市内での２０番目の接続箱１３）に接続されている規定数Ｎｓ１のストリング１２については、緯度を示す値としてのＧＰ０２０ａおよび経度を示す値としてのＧＰ０２０ｂが測定位置情報Ｄｇｐとして記憶される）。また、場所情報Ｄｐについては、これら１２個の接続箱１３は設置場所が同じ（同じ基準エリア内に位置している）ため、同一の場所情報Ｄｐ（「上田」を示す情報）が記憶される。
【００７５】
また、小諸市内の設置場所に設置された１１個の接続箱１３に接続されているストリング１２についての測定を実施する際には、作業者は、この１１個の接続箱１３のうちの１番目の接続箱１３の測定位置において、上記した接続箱１３のときと同様にして、表示部５の画面ＳＣに対する操作を実行して、画面ＳＣの表示内容を図３に示すような測定画面に切り替える。次いで、作業者は、画面ＳＣに表示されている測定画面中の「確認」ボタンを操作する。表示部５は、この操作に対応して確認指示信号Ｓ４を生成して処理部３に出力する。
【００７６】
処理部３は、この確認指示信号Ｓ４を入力して場所確認処理を実行し、ＧＰＳ受信部７から出力されている受信位置情報Ｄｇｐで示される受信位置と近傍となる測定位置を示す測定位置情報Ｄｇｐが記憶部４に記憶されているか否かを検出する。この段階では、記憶部４には、上記したように、同じ上田市内に設置されている２０個の接続箱１３に接続されているストリング１２の測定データＤｉｖが記憶されているが、設置場所が小諸市内ではないため（基準エリア外の）ため、処理部３は、この受信位置が近傍となる測定位置を検出できない。このため、処理部３は、場所確認処理を終了して、表示部５からの次の確認指示信号Ｓ４の入力を待つ。したがって、この時点では、処理部３は、「場所」の入力ボックス内に表示させるための情報の表示部５への出力は実行しない。これにより、表示部５は、「場所」の入力ボックス内への場所の候補についての表示は実行しない。
【００７７】
作業者は、「確認」ボタンを操作しても画面ＳＣ上の「場所」の入力ボックス内に場所の候補が表示されないことから、現在の測定対象であるストリング１２と同じ場所のストリング１２についての測定データＤｉｖについては記憶部４には１つも記憶されておらず、したがって、操作部６を介して処理部３に場所情報Ｄｐを入力すべきであることを認識する。このため、作業者は、画面ＳＣに対する操作を実行して、画面ＳＣに表示されている「場所」の入力ボックス内に場所情報Ｄｐ（この例では「小諸」の文字情報）を入力し、かつ「ボックスＮｏ」の入力ボックス内に入力されている箱番号Ｎｂの初期値である値１についてはそのままにして、画面ＳＣに表示されている「測定開始」ボタンを操作する。これにより、操作部６として機能する表示部５は、測定開始信号Ｓ１を、場所情報Ｄｐ（「小諸」）および箱番号Ｎｂの初期値（この場合は、値１）と共に処理部３に出力する。なお、小諸市内の最初の接続箱１３に接続されているストリング１２についての測定であるため、箱番号Ｎｂの初期値をデフォルトの値１のままとしている。
【００７８】
これ以降は、測定部２、処理部３および表示部５は、場所情報Ｄｐとして「小諸」の場所名を使用する以外は、上記した上田市内の８個の接続箱１３に接続されているストリング１２についての測定のときと同様に動作して、１１個の接続箱１３に接続されている各ストリング１２についての電流−電圧特性（測定データＤｉｖ）の測定を実行する。
【００７９】
これにより、作業者が特性測定装置１を用いて１１個の接続箱１３にそれぞれ接続されている規定数Ｎｓ１のストリング１２についての電流−電圧特性の測定を実施した時点で、記憶部４には、図７に示すように、１１個の接続箱１３にそれぞれ接続されている規定数Ｎｓ１のストリング１２についての電流−電圧特性を示す測定データＤｉｖが、場所情報Ｄｐ（「小諸」）、箱番号Ｎｂ（値１から値１１までの整数）、ストリング番号Ｎｓ（値１から値Ｎｓ１までの整数）、および測定位置情報Ｄｇｐに関連付けられて記憶される。
【００８０】
この測定位置情報Ｄｇｐについては、上記したように、同じ接続箱１３に接続されている各ストリング１２については、同じ測定位置を示すものとなる。このため、箱番号Ｎｂが値１の接続箱１３（小諸市内での１番目の接続箱１３）に接続されている規定数Ｎｓ１のストリング１２については、上記したように、緯度を示す値としてのＧＰ０２１ａおよび経度を示す値としてのＧＰ０２１ｂが測定位置情報Ｄｇｐとして記憶され、箱番号Ｎｂが値２の接続箱１３（小諸市内での２番目の接続箱１３）に接続されている規定数Ｎｓ１のストリング１２については、緯度を示す値としてのＧＰ０２２ａおよび経度を示す値としてのＧＰ０２２ｂが測定位置情報Ｄｇｐとして記憶され、以下、残りの接続箱１３に接続されている規定数Ｎｓ１のストリング１２についても緯度を示す値および経度を示す値が測定位置情報Ｄｇｐとして記憶される（箱番号Ｎｂが値１１の接続箱１３（小諸市内での１１番目の接続箱１３）に接続されている規定数Ｎｓ１のストリング１２については、緯度を示す値としてのＧＰ０３１ａおよび経度を示す値としてのＧＰ０３１ｂが測定位置情報Ｄｇｐとして記憶される）。また、場所情報Ｄｐについては、これら１１個の接続箱１３は設置場所が同じ（同じ基準エリア内に位置している）ため、同一の場所情報Ｄｐ（「小諸」を示す情報）が記憶される。
【００８１】
次に、上記したようにして測定した上田市内の２０個の接続箱１３にそれぞれ接続されている規定数Ｎｓ１のストリング１２、および小諸市内の１１個の接続箱１３にそれぞれ接続されている規定数Ｎｓ１のストリング１２についての電流−電圧特性を、接続箱１３単位で閲覧する際の特性測定装置１の動作について説明する。
【００８２】
まず、作業者は、表示部５の画面ＳＣに対する操作を実行して、画面ＳＣの表示内容を図４に示すようなデータ閲覧画面に切り替える。次いで、表示部５の画面ＳＣに対する操作を実行して、画面ＳＣに表示されている「場所」の入力ボックス内に場所指定情報ＳＤｐ（閲覧したいストリング１２の設置場所（接続箱１３の設置場所でもある）を示す場所情報Ｄｐ）を入力し、かつ「ボックスＮｏ」の入力ボックス内に箱指定番号ＳＮｂ（閲覧したいストリング１２が接続された接続箱１３の箱番号Ｎｂ）を入力して、画面ＳＣに表示されている「表示開始」ボタンを操作する。これにより、操作部６として機能する表示部５は、閲覧開始信号Ｓ３と共に、箱指定番号ＳＮｂおよび場所指定情報ＳＤｐを処理部３に出力する。
【００８３】
処理部３は、表示部５からの閲覧開始信号Ｓ３の出力を検出したときには、バッチ表示処理を実行する。このバッチ表示処理では、処理部３は、まず、表示部５から出力されている箱指定番号ＳＮｂおよび場所指定情報ＳＤｐを取得する。次いで、処理部３は、記憶部４に記憶されている各測定データＤｉｖに関連付けられている箱番号Ｎｂおよび場所情報Ｄｐを検索して、これらが上記の箱指定番号ＳＮｂで示される箱番号Ｎｂおよび場所指定情報ＳＤｐで示される場所情報Ｄｐとすべて一致する（すべて同じになる）測定データＤｉｖを閲覧対象の測定データＤｉｖとして特定して、対応するストリング番号Ｎｓと共にすべて読み出す。これにより、場所指定情報ＳＤｐで示される場所に設置されている接続箱１３であって、かつ箱指定番号ＳＮｂで示される接続箱１３に接続されている規定数Ｎｓ１のストリング１２についての測定データＤｉｖがストリング番号Ｎｓと共に閲覧対象の測定データＤｉｖとしてすべて読み出される。
【００８４】
次いで、処理部３は、このようにして読み出した閲覧対象の測定データＤｉｖを表示部５に出力する。表示部５は、図４に示すようなデータ閲覧画面に画面ＳＣの表示内容が切り替えられている状態においてこの閲覧対象の測定データＤｉｖを取得（入力）して、この閲覧対象の測定データＤｉｖで表される電流−電圧特性を示す規定数Ｎｓ１本（同図では一例として、４本）の特性グラフを図４に示すように画面ＳＣ上に表示させた１つのＩＶ座標空間ＡＲ内に重ね合わせて表示する。
【００８５】
例えば、作業者が、図５〜図７に示されるように記憶部４に記憶されている複数（この例では、３１個）の測定データＤｉｖのうちの図６において矢印で示される接続箱１３（上田における箱番号Ｎｂが１０の接続箱１３）に接続されている規定数Ｎｓ１のストリング１２についての電流−電圧特性を閲覧する場合には、図４に示すデータ閲覧画面において、「場所」の入力ボックス内に場所指定情報ＳＤｐとして「上田」を入力し、かつ「ボックスＮｏ」の入力ボックス内に箱指定番号ＳＮｂとして値１０を入力する。
【００８６】
この場合、上田などの場所名や、ボックスＮｏを示す数値を入力キーから直接入力する構成を採用することもできるし、また図４に示すようにプルダウンメニューキー（同図では一例として、下向きの三角マーク）を各入力ボックスに対応させて表示し、このプルダウンメニューキーが操作されたときには、この操作情報が操作部６として機能する表示部５から処理部３に出力され、かつ処理部３が記憶部４に既に記憶されている測定データＤｉｖに関連付けされている対応情報を検索して、存在する値を入力ボックスの下にプルダウンメニューとして表示させる構成を採用することもできる。これにより、本例のように、上田に設置されている２０個の接続箱１３に接続されているストリング１２についての測定データＤｉｖ（図５，６参照）と、小諸に設置されている１１個の接続箱１３に接続されているストリング１２についての測定データＤｉｖ（図７参照）とが記憶されているときには、「場所」の入力ボックスに対応するプルダウンメニューキーが操作されたときには、処理部３は、「上田」および「小諸」の文字情報が表示されたプルダウンメニューを表示させる。また、「ボックスＮｏ」の入力ボックスに対応するプルダウンメニューキーが操作されたときには、処理部３は、「場所」の入力ボックスに表示されている場所指定情報ＳＤｐに応じて、これが「上田」のときには値１から値２０までの数値が表示されたプルダウンメニューを表示させ、これが「小諸」のときには値１から値１１までの数値が表示されたプルダウンメニューを表示させる。
【００８７】
これにより、操作部６として機能する表示部５は、閲覧開始信号Ｓ３と共に、箱指定番号ＳＮｂ（＝１０）、および場所指定情報ＳＤｐ（＝上田）を処理部３に出力する。また、これらの情報を取得した処理部３は、記憶部４に記憶されている測定データＤｉｖの中から図６において矢印で示される接続箱１３に接続されている規定数Ｎｓ１のストリング１２についての測定データＤｉｖを読み出して表示部５に出力することにより、図４に示すように、表示部５に対して、画面ＳＣ上に表示されているデータ閲覧画面におけるＩＶ座標空間ＡＲ内に、この規定数Ｎｓ１のストリング１２についての特性グラフを同図に示すように重ね合わせて表示させる。なお、図４では、発明の理解を容易にするため、規定数Ｎｓ１が値４であるとしたときの特性グラフを示している。
【００８８】
このように、この特性測定装置１では、処理部３は、記憶処理において、操作部６として機能する表示部５から場所情報Ｄｐが出力されているときには、この場所情報Ｄｐ、ＧＰＳ受信部７から出力されている受信位置情報Ｄｇｐおよび測定部２から出力されている測定データＤｉｖを取得し、かつこの受信位置情報Ｄｇｐを測定対象の接続箱１３（具体的にはこの接続箱１３に接続されている各ストリング１２）の測定位置を示す測定位置情報Ｄｇｐとして場所情報Ｄｐと共に測定データＤｉｖに関連付けて記憶部４に記憶させる。一方、処理部３は、記憶処理において、操作部６として機能する表示部５から場所情報Ｄｐが出力されていないときであって、ＧＰＳ受信部７から取得した受信位置情報Ｄｇｐで示される受信位置が記憶部４に測定データＤｉｖに関連付けられて記憶されている測定位置情報Ｄｇｐで示される測定位置のうちのいずれかの測定位置の近傍のときには、このいずれかの測定位置（近傍の測定位置）を示す測定位置情報Ｄｇｐと共に同じ測定データＤｉｖに関連付けられて記憶部４に記憶されている場所情報Ｄｐを記憶部４から読み出し、かつ測定部２から出力されている測定データＤｉｖを取得し、ＧＰＳ受信部７から取得した受信位置情報Ｄｇｐを測定位置情報Ｄｇｐとしてこの読み出した場所情報Ｄｐと共に取得した測定データＤｉｖに関連付けて記憶部４に記憶させる。
【００８９】
したがって、この特性測定装置１によれば、接続されている各ストリング１２についての測定データＤｉｖを測定しようとしている接続箱１３の測定位置と測定位置が近傍となる接続箱１３（同じ基準エリアに含まれている接続箱１３）についての各ストリング１２の測定データＤｉｖが記憶部４に既に記憶されているときには、この測定データＤｉｖと共にこの測定データＤｉｖに関連付けられて記憶部４に既に記憶されている場所情報Ｄｐを、測定しようとしている各ストリング１２についての測定データＤｉｖにこの各ストリング１２の場所を示す情報（この各ストリング１２についての場所情報Ｄｐ）として関連付けて記憶部４に記憶させることができるため、測定位置情報Ｄｇｐの持つ属性（例えば都道府県、市区町村等の住所区分や道路種別等）を表す属性データが予め記憶された記憶媒体およびこの記憶媒体からこの属性データを読み出すためのドライブ装置を不要にできることから、安価な構成で、この測定データＤｉｖを場所名（例えば市町村や住所区分などの住所）と関連付けて記憶させることができる。また、測定しようとしている各ストリング１２についての場所情報Ｄｐを操作部６として機能する表示部５から処理部３に入力する手間も省くことができる。
【００９０】
また、この特性測定装置１では、操作部６として機能する表示部５は、その画面ＳＣ上に表示される測定画面内の「場所」の入力ボックス内に作業者によって接続箱１３の場所名を示す場所情報Ｄｐが入力されたときには、この場所情報Ｄｐを処理部３に出力可能に構成され、処理部３は、この測定画面が画面ＳＣ上に表示されているときに表示部５から場所情報Ｄｐが出力されていないときであって、各ストリング１２の測定データＤｉｖを測定しようとしている接続箱１３の測定位置と同じかまたは近傍の測定位置となる接続箱１３（同じ基準エリアに含まれている接続箱１３）についての測定データＤｉｖが記憶部４に既に記憶されているときには、この測定データＤｉｖに関連付けられて記憶部４に既に記憶されている場所情報Ｄｐを、画面ＳＣ上に表示されている「場所」の入力ボックス内に場所名を示す場所情報Ｄｐの候補として自動的に入力（表示）させる。したがって、この特性測定装置１によれば、測定しようとしている各ストリング１２についての測定データＤｉｖに関連付けられて記憶部４に記憶させる場所情報Ｄｐを視認しつつ、測定データＤｉｖの測定を実施することができる。
【００９１】
また、上記の特性測定装置１において、処理部３と演算制御部３５を１つにまとめて、全体として１つの処理部または演算制御部とする構成を採用することもできる。
【００９２】
なお、測定装置の一例として特性測定装置（太陽電池特性測定装置）１を挙げて説明したが、この場所情報Ｄｐの入力を省く構成については、異なる場所に設置されている測定対象の被測定量を測定して、この被測定量に場所情報を関連付けて記憶する他の測定装置（例えば、被測定量として流量や電力量などを測定して記憶するデータロガーなどの測定装置）に適用してもよいのは勿論である。
【符号の説明】
【００９３】
１  太陽電池特性測定装置（特性測定装置）
２  測定部
３  処理部
４  記憶部
５  表示部
６  操作部
７  ＧＰＳ受信部
１２  ストリング
１３  接続箱
Ｄｇｐ  受信位置情報（測定位置情報）
Ｄｉｖ  測定データ
Ｎｂ  箱番号（箱識別情報）
【図１】
0006740017.tif 000002
【図２】
0006740017.tif 000003
【図３】
0006740017.tif 000004
【図４】
0006740017.tif 000005
【図５】
0006740017.tif 000006
【図６】
0006740017.tif 000007
【図７】
0006740017.tif 000008